(57)【要約】【課題】接続が簡単であり且つ確実に防水が可能な防水コネクタハウジング、防水コネクタ組立体、コネクタ防水構造及びコネクタ補助部材を提供する。【解決手段】防水コネクタハウジング４が、自身に取り付けられたＤ−ｓｕｂコネクタ２の嵌合部２ａを収容し且つ相手方のＤ−ｓｕｂコネクタ１２の嵌合部１２ａを受容可能な開口部５ａを有し、その開口部５ａ内で自身のＤ−ｓｕｂコネクタ嵌合部２ａと相手方のＤ−ｓｕｂコネクタ嵌合部１２ａとが嵌合接続されたときに、開口部前端面５ｂが相手方のコネクタハウジング１３の前端面１３ｂに相手方のシール材１６を介して当接することにより、相手側のコネクタハウジング１３との当接部分が水密状態に保たれ、一対のＤ−ｓｕｂコネクタ２，１２を確実に防水することができる。【選択図】図１
2007227040.tif 000002
【特許請求の範囲】
【請求項１】
端面に設けられたコネクタ取付領域の周囲にシール材を設けてなる相手方のコネクタハウジングと協働して防水構造を形成する防水コネクタハウジングであって、
自身に取り付けられたコネクタの嵌合部を収容し且つ前記相手方のコネクタの嵌合部を受容可能な開口部を有し、その開口部内で前記自身のコネクタ嵌合部と前記相手方のコネクタ嵌合部とが嵌合接続されたときに、前記開口部端面が前記相手方のコネクタハウジングの端面に前記相手方のシール材を介して当接するように構成されたことを特徴とする防水コネクタハウジング。
【請求項２】
端面に設けられたコネクタ取付領域の周囲にシール材を設けてなる本体と、
その本体とは別体で形成され且つ前記コネクタ嵌合部を収容可能な中空状の開口部を有する中空ブロック体と
を備え、
前記中空ブロック体の前記開口部端面が前記本体の前記端面に前記シール材を介して当接する状態で、前記本体と前記中空ブロック体とが結合されたことを特徴とする請求項１に記載の防水コネクタハウジング。
【請求項３】
前記開口部は、自身のコネクタが取付けられるコネクタ取付領域を有する本体部と一体的に形成されたことを特徴とする請求項１に記載の防水コネクタハウジング。
【請求項４】
請求項１乃至３のいずれかに記載の防水コネクタハウジングと、
その防水コネクタハウジングに取付けられるＤ−ｓｕｂコネクタと
を備えてなる防水コネクタ組立体。
【請求項５】
互いに嵌合接続される一対のコネクタを取付けるために各端面にそれぞれ設けられた各コネクタ取付領域の周囲にそれぞれシール材が設けられた一対のコネクタハウジングにより協働して形成されるコネクタ防水構造であって、
前記一対のコネクタの各嵌合部を受容可能な中空状の開口部を有する中空ブロック体が、前記一対のコネクタハウジングの端面間に介挿されると共に、前記中空ブロック体の前記開口部内で前記一対のコネクタの各嵌合部が互いに嵌合接続されたときに、両側の前記開口部端面が前記一対のコネクタハウジングの各端面に前記各シール材を介してそれぞれ当接するように構成されたことを特徴とするコネクタ防水構造。
【請求項６】
互いに嵌合接続される一対のコネクタを取付けるために各端面にそれぞれ設けられた各コネクタ取付領域の周囲にそれぞれシール材が設けられた一対のコネクタハウジングの端面間に介挿されるコネクタ補助部材であって、
前記一対のコネクタの各嵌合部を受容可能な中空状の開口部を有する中空ブロック体状に形成され、前記開口部内で前記一対のコネクタの各嵌合部が互いに嵌合接続されたときに、両側の前記開口部端面が前記一対のコネクタハウジングの各端面に前記各シール材を介してそれぞれ当接するように構成されたことを特徴とするコネクタ補助部材。
【発明の詳細な説明】
【技術分野】
【０００１】
本発明は、水や油などの液体がコネクタの嵌合部に侵入することを防止する防水コネクタハウジング、防水コネクタ組立体、コネクタ防水構造及びコネクタ補助部材に関する。
【背景技術】
【０００２】
近年、オフィスだけでなく工場においてもパーソナルコンピュータ（以下、ＰＣと称する）及びその周辺機器が使用されるようになってきている。そして、ＰＣと周辺機器（例えば、バーコードを光学的に読取るためのバーコードリーダ等）との接続には、Ｄ−ｓｕｂコネクタを備えたコネクタ付きケーブルが一般的に使用されている。ところが、自動車工場等の油分や水分を含有するミストや粉塵が空中を飛散するような工場内では、オフィス内で使用するのと同様のコネクタ付きケーブルを用いてＰＣと周辺機器との接続を行った場合、コネクタ同士の接続部分の隙間にミストの油分等が浸入して信号の送受信に不具合が発生する可能性がある。このような理由から、工場内では、ＰＣ側のパネルに取付けられたコネクタとの接続には、防水機能を有するコネクタハウジングにコネクタを取付けてなるコネクタ付きケーブルが使用されることが多い。例えば、パネル取付型コネクタの防水構造の従来構成としては、特許文献１に記載されたものがある。
【０００３】
一方、工場内ではＰＣの設置場所から離れた位置で周辺機器が使用されることも多く、１本のコネクタ付きケーブルのみでは長さが足りないために、ＰＣと周辺機器とを接続できない場合がある。このような場合、従来、ＰＣ側に接続されるケーブルの端末部と周辺機器側に接続されるケーブルの端末部とを、防水型の端子ボックスを介して接続することが実施されている。図８は、防水型端子ボックス１０１の一例を示す図である。防水型端子ボックス１０１は、上面が開口する箱状のボックス本体１０２と、そのボックス本体１０２上面の開口を塞ぐ蓋体１０３とを備えている。ボックス本体１０２と蓋体１０３とは、ともに合成樹脂により形成され、蓋体１０３の裏面にはシール材としての図示しないゴム板が貼り付けられている。ボックス本体１０３の内部には、複数の圧着端子１０５を備えた端子台１０４が設けられ、一方のケーブル挿入口１０６から挿入されたＰＣに接続されるケーブルの端末部と、他方のケーブル挿入口１０７から挿入された周辺機器に接続されるケーブルの端末部とが、それぞれ端子台１０４上の各圧着端子１０５に個別に接続される。そして、蓋体１０３がボックス本体１０２に対して螺子留め固定されることにより、両ケーブル端末部の接続部分の防水が図られる。
【特許文献１】特開２００１−２１７０３３号公報
【発明の開示】
【発明が解決しようとする課題】
【０００４】
しかしながら、上述した防水型端子ボックス１０１を用いて一対のケーブルの端末部同士を接続する構成では、両ケーブルの端末部の導線を被覆から露出させ、各導線を圧着端子１０５に挟んで個別に接続しなければならず、作業に手間がかかるという問題がある。さらに、ケーブル端末部の導線が圧着端子１０５から外れないように、圧着端子１０５を所定の強さで締付けて導線を押圧する構成であるため、導体の断線が生じやすいという問題もある。
【０００５】
本発明は上述した問題点に鑑みてなされたものであり、解決しようとする課題は、接続が簡単であり且つ確実に防水が可能な防水コネクタハウジング、防水コネクタ組立体、コネクタ防水構造及びコネクタ補助部材を提供することである。
【課題を解決するための手段】
【０００６】
以下、上記課題を解決するのに適した各手段につき、必要に応じて作用効果等を付記しつつ説明する。
【０００７】
１．端面に設けられたコネクタ取付領域の周囲にシール材を設けてなる相手方のコネクタハウジングと協働して防水構造を形成する防水コネクタハウジングであって、
自身に取り付けられたコネクタの嵌合部を収容し且つ前記相手方のコネクタの嵌合部を受容可能な開口部を有し、その開口部内で前記自身のコネクタ嵌合部と前記相手方のコネクタ嵌合部とが嵌合接続されたときに、前記開口部端面が前記相手方のコネクタハウジングの端面に前記相手方のシール材を介して当接するように構成されたことを特徴とする防水コネクタハウジング。
【０００８】
手段１によれば、防水コネクタハウジングが、自身に取り付けられたコネクタの嵌合部を収容し且つ相手方のコネクタの嵌合部を受容可能な開口部を有し、その開口部内で自身のコネクタ嵌合部と相手方のコネクタ嵌合部とが嵌合接続されたときに、開口部端面が相手方のコネクタハウジングの端面に相手方のシール材を介して当接することにより、相手側のコネクタハウジングとの当接部分が水密状態に保たれる。従って、防水コネクタハウジングと相手方のコネクタハウジングとが協働して、開口部内で嵌合部同士が嵌合接続された自身のコネクタと相手方のコネクタとを確実に防水することができる。
【０００９】
２．端面に設けられたコネクタ取付領域の周囲にシール材を設けてなる本体と、
その本体とは別体で形成され且つ前記コネクタ嵌合部を収容可能な中空状の開口部を有する中空ブロック体と
を備え、
前記中空ブロック体の前記開口部端面が前記本体の前記端面に前記シール材を介して当接する状態で、前記本体と前記中空ブロック体とが結合されたことを特徴とする手段１に記載の防水コネクタハウジング。
【００１０】
手段２によれば、端面に設けられたコネクタ取付領域の周囲にシール材を設けてなる本体と、コネクタ嵌合部を収容可能な中空状の開口部を有する中空ブロック体とが、別体で形成されているので、ＰＣ等の電子機器に設けられたパネル取付型コネクタと接続する場合には、本体のみを用いてコネクタ同士の接続及び防水を図ることができる。一方、端面に設けられたコネクタ取付領域の周囲にシール材を設けてなる相手方のコネクタハウジングと接続する場合には、本体とブロック体とを用いてコネクタ同士の接続及び防水を図ることができる。特に、中空ブロック体の開口部端面が本体の端面にシール材を介して当接する状態で中空ブロック体が本体に結合されることにより、中空ブロック体と本体との当接部分が水密状態に保たれるので、開口部内で嵌合部同士が嵌合接続された自身のコネクタと相手方のコネクタとを確実に防水することができる。
【００１１】
３．前記開口部は、自身のコネクタが取付けられるコネクタ取付領域を有する本体部と一体的に形成されたことを特徴とする手段１に記載の防水コネクタハウジング。
【００１２】
手段３によれば、開口部は、自身のコネクタが取付けられるコネクタ取付領域を有する本体部と一体的に形成されているので、開口部と本体部とを確実に水密状態に保つことができる。また、防水コネクタハウジングが少数の部品で構成されるので、組立工数並びにコストの低減を図ることができる。
【００１３】
４．手段１乃至３のいずれかに記載の防水コネクタハウジングと、
その防水コネクタハウジングに取付けられるＤ−ｓｕｂコネクタと
を備えてなる防水コネクタ組立体。
【００１４】
手段４によれば、防水コネクタハウジングが、自身に取り付けられたＤ−ｓｕｂコネクタの嵌合部を収容し且つ相手方のＤ−ｓｕｂコネクタの嵌合部を受容可能な開口部を有し、その開口部内で自身のＤ−ｓｕｂコネクタ嵌合部と相手方のＤ−ｓｕｂコネクタ嵌合部とが嵌合接続されたときに、開口部端面が相手方のコネクタハウジングの端面に相手方のシール材を介して当接することにより、相手側のコネクタハウジングとの当接部分が水密状態に保たれる。従って、防水コネクタ組立体と相手方の防水コネクタ組立体とが協働して、開口部内で嵌合部同士が嵌合接続された一対のＤ−ｓｕｂコネクタを確実に防水することができる。また、相手方のＤ−ｓｕｂコネクタと接続可能なＤ−ｓｕｂコネクタを備えているので、極めて簡単にケーブル間の接続を行うことができる。
【００１５】
５．互いに嵌合接続される一対のコネクタを取付けるために各端面にそれぞれ設けられた各コネクタ取付領域の周囲にそれぞれシール材が設けられた一対のコネクタハウジングにより協働して形成されるコネクタ防水構造であって、
前記一対のコネクタの各嵌合部を受容可能な中空状の開口部を有する中空ブロック体が、前記一対のコネクタハウジングの端面間に介挿されると共に、前記中空ブロック体の前記開口部内で前記一対のコネクタの各嵌合部が互いに嵌合接続されたときに、両側の前記開口部端面が前記一対のコネクタハウジングの各端面に前記各シール材を介してそれぞれ当接するように構成されたことを特徴とするコネクタ防水構造。
【００１６】
手段５によれば、一対のコネクタの各嵌合部を受容可能な中空状の開口部を有する中空ブロック体が、一対のコネクタハウジングの端面間に介挿されると共に、中空ブロック体の開口部内で一対のコネクタの各嵌合部が互いに嵌合接続されたときに、両側の開口部端面が一対のコネクタハウジングの各端面に各シール材を介してそれぞれ当接することにより、一対の防水コネクタハウジングと中空ブロック体との当接部分が水密状態に保たれる。従って、一対のコネクタハウジングによって協働して形成されたコネクタ防水構造により、中空ブロック体の開口部内で嵌合部が互いに嵌合接続された一対のコネクタを確実に防水することができる。
【００１７】
６．互いに嵌合接続される一対のコネクタを取付けるために各端面にそれぞれ設けられた各コネクタ取付領域の周囲にそれぞれシール材が設けられた一対のコネクタハウジングの端面間に介挿されるコネクタ補助部材であって、
前記一対のコネクタの各嵌合部を受容可能な中空状の開口部を有する中空ブロック体状に形成され、前記開口部内で前記一対のコネクタの各嵌合部が互いに嵌合接続されたときに、両側の前記開口部端面が前記一対のコネクタハウジングの各端面に前記各シール材を介してそれぞれ当接するように構成されたことを特徴とするコネクタ補助部材。
【００１８】
手段６によれば、コネクタ補助部材が、一対のコネクタの各嵌合部を受容可能な中空状の開口部を有する中空ブロック体状に形成され、開口部内で一対のコネクタの各嵌合部が互いに嵌合接続されたときに、両側の開口部端面が一対のコネクタハウジングの各端面に各シール材を介してそれぞれ当接することにより、一対のコネクタハウジングと中空ブロック体との当接部分が水密状態に保たれる。従って、一対のコネクタハウジング及びコネクタ補助部材により協働して、中空ブロック体の開口部内で嵌合部が互いに嵌合接続された一対のコネクタを確実に防水することができる。
【発明の効果】
【００１９】
本発明の防水コネクタハウジング、防水コネクタ組立体、コネクタ防水構造及びコネクタ補助部材によれば、ケーブル間の接続を極めて簡単に行うことができると共に、接続部分を確実に防水することができる。
【発明を実施するための最良の形態】
【００２０】
以下、本発明の防水コネクタハウジング、防水コネクタ組立体、コネクタ防水構造及びコネクタ補助部材を具体化した一実施形態について図面を参照しつつ説明する。図１（ａ）は、本発明の一実施形態における第１コネクタ組立体１と第２コネクタ組立体１１との接続前の状態を示す側面図、同図（ｂ）は同図（ａ）において第１コネクタ組立体１及び第２コネクタ組立体１１の一部を切り欠いて示す断面図である。図２（ａ）は、第１コネクタ組立体１を示す正面図、同図（ｂ）は第１コネクタ組立体１（第２コネクタ組立体１１）の背面図、同図（ｃ）は第２コネクタ組立体１１を示す正面図である。図３（ａ）は、第１コネクタ組立体１を分解して示す側面図、同図（ｂ）は第２コネクタ組立体１１を分解して示す側面図である。図４（ａ）は、ハウジング本体３（防水コネクタハウジング１３）の正面図、同図（ｂ）はＯリング６（１６）の正面図、同図（ｃ）は中空ブロック体５の斜視図である。
【００２１】
本実施形態のコネクタ防水構造は、図１等に示すように、第１コネクタ組立体１と、第２コネクタ組立体１１とから構成される。尚、第１コネクタ組立体１が、本発明の防水コネクタ組立体を構成するものである。
【００２２】
第１コネクタ組立体１は、図３（ａ）等に示すように、Ｄ−ｓｕｂコネクタ２と、Ｄ−ｓｕｂコネクタ２が取り付けられるハウジング本体３及び中空ブロック体５からなる防水コネクタハウジング４とによって構成される。尚、中空ブロック体５が、本発明のコネクタ補助部材を構成するものである。
【００２３】
Ｄ−ｓｕｂコネクタ２は、公知のＤ−ｓｕｂ雄型コネクタであり、嵌合部２ａと、取付片部２ｂと、ケーブル側端子２ｄとを備えている。嵌合部２ａは、複数（本実施形態では、１５ピン）の雄型端子を有し、Ｄ−ｓｕｂ雌型コネクタである後述するＤ−ｓｕｂコネクタ１２の嵌合部１２ａと嵌合接続可能である。取付け片部２ｂは、嵌合部２ａの基端部外周に鍔状に延設された金属部分であり、取付片部２ｂの両端近傍にそれぞれ２つの取付け孔２ｃ，２ｃが設けられている。ケーブル側端子２ｄは、取付片部２ｂを挟んで嵌合部２ａの反対側に設けられて図示しないケーブルの端末部が接続される金属製端子である。
【００２４】
防水コネクタハウジング４を構成する一方の部材であるハウジング本体３は、前面が開口する合成樹脂製の筐体であり、ＰＢＴ（ポリブチレンテレフタレート）等の合成樹脂材料の成型加工により製造される。ハウジング本体３の前部には、前端面３ｂにＤ−ｓｕｂコネクタ２が取付けられる正面視長方形状のフランジ部３ａが形成されている。フランジ部３ａの後方側には、内部にＤ−ｓｕｂコネクタ２のケーブル側端子２ｄ及びそれに接続されるケーブルの端末部（図示せず）を収容するための箱状の収容部３ｃが形成され、この収容部３ｃは前端面３ｂにおいて正面視長方形状に開口している。
【００２５】
フランジ部３ａの前端面３ｂにおいて、収容部３ｃを臨む開口３ｄの長手方向両端部には、Ｄ−ｓｕｂコネクタ２を取付けるための螺子孔３ｅ，３ｅが設けられている。すなわち、Ｄ−ｓｕｂコネクタ２は、嵌合部２ａを接続方向前方側に向けて開口３ｄを略塞ぐように配置されて、取付け片部２ｂの取付孔２ｃ，２ｃに挿通された螺子２ｅ，２ｅを、螺子孔３ｅ，３ｅにそれぞれ螺合させることにより固定され、この状態でＤ−ｓｕｂコネクタ２のケーブル側端子２ｄは開口３ｄより収容部３ｃ内に収容される。尚、前端面３ｂにおいて開口３ｄを臨む領域が、本発明のコネクタ取付領域に相当する。さらに、フランジ部３ａの長手方向両端近傍には、中空ブロック体５を取付けるための挿通孔３ｆ，３ｆが設けられている。
【００２６】
また、フランジ部３ａの前端面３ｂにおいて、図４（ａ）に示すように、開口３ｄの周囲に凹溝３ｇが形成されており、この凹溝３ｇにはゴム製のＯリング６（図４（ｂ）参照）が嵌め込まれる。Ｏリング６の材質としては、耐油性、耐磨耗性等に優れたＮＢＲ（ニトリルゴム）等のゴム材料を好適に用いることができる。Ｏリング６が、本発明（手段２）のシール材を構成するものである。
【００２７】
ハウジング本体３の後端部には、収容部３ｂ内でＤ−ｓｕｂコネクタ２のケーブル側端子２ｄに端末部が接続されたケーブルを外部へ引き出すための円筒状の引出口３ｈが形成されている。また、引き出し口３ｈの周面には雄螺子が螺刻されており、中心にケーブルが挿通される挿通孔が形成され且つ防水機能を有するキャップ３ｉが引き出し口３ｈに対して螺着される。
【００２８】
防水コネクタハウジング４を構成する残りの一方の部材である中空ブロック体５は、ハウジング本体３とは別体の部材であり、アルミニウム等の金属により形成される（図４（ｃ）参照）。中空ブロック体５は、正面視でハウジング本体３のフランジ部３ａに略整合する略長方形状の外形に形成されると共に、Ｄ−ｓｕｂコネクタ２の嵌合部２ａ及び後述するＤ−ｓｕｂコネクタ１２の嵌合部１２ａを受容可能な中空状の開口部５ａを有している。開口部５ａの断面形状は、取付け片部２ｂを含むＤ−ｓｕｂコネクタ２の正面視における大きさよりも一回り大きく且つフランジ部３ａの前端面３ｂに取付けられたＯリング６の正面視における大きさよりも一回り小さい略長方形状となっている。中空ブロック体５において開口部５ａを挟む長手方向両側において、ハウジング本体３のフランジ部３ａに形成された挿通孔３ｆ，３ｆにそれぞれ整合する位置に、開口部前端面５ｂと開口部後端面５ｃとの間を貫通する螺子孔５ｄ，５ｄが形成されている。そして、中空ブロック体５は、フランジ部３ａの後側から挿通孔３ｆ，３ｆに挿通され且つバネ座金３ｋ，３ｋがそれぞれ介挿された螺子３ｊ，３ｊを螺子孔５ｄ、５ｄに螺合させることにより、ハウジング本体３に対して固定される。
【００２９】
このとき、中空ブロック体５の開口部５ａの断面は、フランジ部３ａの前端面３ｂに取付けられたＯリング６の正面視における大きさよりも小さいので、Ｏリング６は中空ブロック体５の開口部後端面５ｃとフランジ部前端面３ｂとにより押圧される。また、中空ブロック体５の開口部５ａの断面は、取付け片部２ｂを含むＤ−ｓｕｂコネクタ２の正面視における大きさよりも大きいので、中空ブロック体５をハウジング本体３に取付けた状態においても、Ｄ−ｓｕｂコネクタ２の取付け及び取外しが可能である。
【００３０】
次に、第２コネクタ組立体１１の構成について説明する。第２コネクタ組立体１１は、図１等に示すように、Ｄ−ｓｕｂコネクタ１２と、Ｄ−ｓｕｂコネクタ１２が取り付けられる防水コネクタハウジング１３とから構成される。尚、Ｄ−ｓｕｂコネクタ１２が、本発明の相手方のコネクタを、防水コネクタハウジング１３が相手方のコネクタハウジングをそれぞれ構成するものである。
【００３１】
Ｄ−ｓｕｂコネクタ１２は、公知のＤ−ｓｕｂ雌型コネクタであり、嵌合部１２ａと、取付片部１２ｂと、ケーブル側端子１２ｄとを備えている。嵌合部１２ａは、複数（本実施形態では、１５ピン）の雌型端子を有し、Ｄ−ｓｕｂ雄型コネクタである上述したＤ−ｓｕｂコネクタ２の嵌合部２ａと嵌合接続可能である。取付け片部１２ｂは、嵌合部１２ａの基端部外周に鍔状に延設された金属部分であり、取付片部１２ｂの両端近傍にそれぞれ２つの取付け孔１２ｃ，１２ｃが設けられている。ケーブル側端子１２ｄは、取付片部１２ｂを挟んで嵌合部１２ａの反対側に設けられて図示しないケーブルの端末部が接続される金属製端子である。
【００３２】
防水コネクタハウジング１３は、上記第１コネクタ組立体１１におけるハウジング本体３と同一構成を有する前面が開口する合成樹脂製の筐体であり、ＰＢＴ等の合成樹脂材料の成型加工により製造される。防水コネクタハウジング１３の前部には、前端面１３ｂにＤ−ｓｕｂコネクタ１２が取付けられる正面視長方形状のフランジ部１３ａが形成されている。フランジ部１３ａの後方側には、内部にＤ−ｓｕｂコネクタ１２のケーブル側端子１２ｄ及びそれに接続されるケーブルの端末部（図示せず）を収容するための箱状の収容部１３ｃが形成され、この収容部１３ｃは前端面１３ｂにおいて正面視長方形状に開口している。
【００３３】
フランジ部１３ａの前端面１３ｂにおいて、収容部１３ｃを臨む開口１３ｄの長手方向両端部には、Ｄ−ｓｕｂコネクタ１２を取付けるための螺子孔１３ｅ，１３ｅが設けられている。すなわち、Ｄ−ｓｕｂコネクタ１２は、嵌合部１２ａを接続方向前方側に向けて開口１３ｄを略塞ぐように配置されて、取付け片部１２ｂの取付孔１２ｃ，１２ｃに挿通された螺子１２ｅ，１２ｅを、螺子孔１３ｅ，１３ｅにそれぞれ螺合させることにより固定され、この状態でＤ−ｓｕｂコネクタ１２のケーブル側端子１２ｄは開口１３ｄより収容部１３ｃ内に収容される。尚、前端面１３ｂにおいて開口１３ｄを臨む領域が、相手方のコネクタ取付領域に相当する。さらに、フランジ部１３ａの長手方向両端近傍には、第１コネクタ組立体１側の中空ブロック体５との結合に用いられる螺子が挿通される挿通孔１３ｆ，１３ｆが設けられている。
【００３４】
また、フランジ部１３ａの前端面１３ｂにおいて、開口１３ｄの周囲に凹溝１３ｇが形成されており、この凹溝１３ｇにはシール材としてのゴム製のＯリング１６が嵌め込まれる。尚、Ｏリング１６の材質としては、Ｏリング６と同様に、耐油性、耐磨耗性等に優れたＮＢＲ等のゴム材料を好適に用いることができる。
【００３５】
ここで、中空ブロック体５の開口部５ａの断面は、フランジ部１３ａの前端面１３ｂに取付けられたＯリング１６の正面視における大きさよりも小さい。従って、第１コネクタ組立体１と第２コネクタ組立体１１とが接続されたとき、Ｏリング１６は中空ブロック体５の開口部前端面５ｂとフランジ部前端面１３ｂとにより押圧される。また、中空ブロック体５の開口部５ａの断面は、取付け片部１２ｂを含むＤ−ｓｕｂコネクタ１２の正面視における大きさよりも大きいので、Ｄ−ｓｕｂコネクタ１２を受容することができる。
【００３６】
ハウジング本体１３の後端部には、収容部１３ｂ内でＤ−ｓｕｂコネクタ１２のケーブル側端子１２ｄに端末部が接続されたケーブルを外部へ引き出すための円筒状の引出口１３ｈが形成されている。また、引き出し口１３ｈの周面には雄螺子が螺刻されており、中心にケーブルが挿通される挿通孔が形成され且つ防水機能を有するキャップ１３ｉが引き出し口１３ｈに対して螺着される。
【００３７】
次に、第１コネクタ組立体１と第２コネクタ組立体１１との接続方法及び手順について、図１及び図５を参照しつつ説明する。図５（ａ）は、第１コネクタ組立体１と第２コネクタ組立体１１との接続後の状態を示す側面図、同図（ｂ）は同図（ａ）において第１コネクタ組立体１及び第２コネクタ組立体１１の一部を切り欠いて示す断面図である。
【００３８】
まず、図１に示すように、第１コネクタ組立体１と第２コネクタ組立体１１とを、Ｄ−ｓｕｂコネクタ２の嵌合部２ａとＤ−ｓｕｂコネクタ１２の嵌合部１２ａとが整合する向きにして対向配置する。次に、第１コネクタ組立体１と第２コネクタ組立体１１とを、互いが接近する方向へ相対移動させることにより、図５に示すように、中空ブロック体５の開口部５ａ内でＤ−ｓｕｂコネクタ２の嵌合部２ａとＤ−ｓｕｂコネクタ１２の嵌合部１２ａとが嵌合接続される。このとき、第１コネクタ組立体１側の中空ブロック体５の開口部前端面５ｂと、第２コネクタ組立体１１側のハウジング本体１３の前端面１３ｂとが、Ｄ−ｓｕｂコネクタ１２の周囲を囲むＯリング１４を介して当接する。そして、フランジ部１３ａの後側（図５では左側）から挿通孔１３ｆ，１３ｆに挿通され且つバネ座金１３ｋ，１３ｋがそれぞれ介挿された螺子１３ｊ，１３ｊを中空ブロック体５の螺子孔５ｄ、５ｄに螺合させることにより、第１コネクタ組立体１と第２コネクタ組立体１１とが結合される。
【００３９】
ここで、図６は、第１コネクタ組立体１及び第２コネクタ組立体１１の使用状態の一例を示す図である。図６に示すように、ＰＣ側に接続されるケーブルの端末部が接続された第２コネクタ組立体１１は、工場内の壁面等に取付け金具３１を介して取付けられており、この第２コネクタ組立体１１に対して、周辺機器（例えば、バーコードリーダ）側に接続される他方のケーブルの端末部が接続された第１コネクタ組立体１が接続されている。より詳細には、取付け金具３１の壁面取付部３１ａが螺子３２，３２によって壁面に固定され、コ螺子１３ｊ，１３ｊによってネクタ取付部３１ｂ，３１ｂと第２コネクタ組立体１１のフランジ部１３ａとが第１コネクタ組立体１の中空ブロック体５に対して共締めされて結合されている。
【００４０】
以上詳述したことから明らかなように、本実施形態によれば、防水コネクタハウジング４が、自身に取り付けられたＤ−ｓｕｂコネクタ２の嵌合部２ａを収容し且つ相手方のＤ−ｓｕｂコネクタ１２の嵌合部１２ａを受容可能な開口部５ａを有し、その開口部５ａ内でＤ−ｓｕｂコネクタ嵌合部２ａとＤ−ｓｕｂコネクタ嵌合部１２ａとが嵌合接続されたときに、開口部前端面５ｂがコネクタハウジング１３の前端面１３ｂにシール材としてのＯリング１６を介して当接することにより、コネクタハウジング１３との当接部分が水密状態に保たれる。従って、第１コネクタ組立体１と第２コネクタ組立体１１とが協働して、開口部５ａ内で嵌合部同士が嵌合接続された一対のＤ−ｓｕｂコネクタ２，１２を確実に防水することができる。また、相手方のＤ−ｓｕｂコネクタ１２と接続可能なＤ−ｓｕｂコネクタ２を備えているので、従来の防水型端子ボックスを用いてケーブル間接続を行う場合よりも格段に簡単な作業で確実にケーブル間の接続を図ることができる。
【００４１】
また、前端面３ｂに設けられたコネクタ取付領域の周囲にシール材としてのＯリング６を設けてなるハウジング本体３と、コネクタ嵌合部２ａを収容可能な中空状の開口部５ａを有する中空ブロック体５とが、別体で形成されているので、ＰＣ等の電子機器に設けられたパネル取付型コネクタと接続する場合には、ハウジング本体３のみを用いてＤ−ｓｕｂコネクタ同士の接続及び防水を図ることができる。一方、前端面に設けられたコネクタ取付領域の周囲にシール材を設けてなる相手方のコネクタハウジング１３と接続する場合には、ハウジング本体３と中空ブロック体５とを用いてＤ−ｓｕｂコネクタ同士の接続及び防水を図ることができる。特に、中空ブロック体５の開口部後端面５ｃがハウジング本体３の前端面３ｂにＯリング６を介して当接する状態で中空ブロック体５がハウジング本体３に結合されることにより、中空ブロック体５とハウジング本体３との当接部分が水密状態に保たれるので、開口部５ａ内で嵌合部同士が嵌合接続された自身のＤ−ｓｕｂコネクタ２と相手方のＤ−ｓｕｂコネクタ１２とを確実に防水することができる。
【００４２】
尚、本発明は上述した各実施の形態に限定されるものではなく、本発明の主旨を逸脱しない範囲で種々の変更を施すことが可能である。例えば、前記実施の形態では、ハウジング本体３と中空ブロック体５とを別体で形成し、両部材を螺子留めにより結合する構成としたが、両部材を合成樹脂の成型加工により一体的に形成する構成としてもよい。例えば、図７に示す変形例では、本体部３のフランジ部３ａにおけるコネクタ取付領域の周辺部分を接続方向前方へ延設することにより、Ｄ−ｓｕｂコネクタ２の嵌合部２ａを収容可能な開口部５ａが形成されている。本変形例によれば、開口部５ａがコネクタ取付領域を有するハウジング本体３と一体的に形成されており、コネクタ取付領域の周囲に水分や油分が浸入する隙間がないため、前記実施形態におけるＯリング６が不要となる。また、防水コネクタハウジング４が少数の部品で構成されるので、組立工数並びにコストの低減を図ることができる。
【００４３】
また、前記実施形態では、コネクタとしてＤ−ｓｕｂコネクタを用いた例を示したが、Ｄ−ｓｕｂコネクタ以外のコネクタにも本発明を適用することも可能である。
【産業上の利用可能性】
【００４４】
本発明は、工場内等の水分や油分を含むミストが飛散する環境化でのケーブルの接続に適用可能である。
【図面の簡単な説明】
【００４５】
【図１】（ａ）は本発明の一実施形態における第１コネクタ組立体と第２コネクタ組立体との接続前の状態を示す側面図、（ｂ）は（ａ）において第１コネクタ組立体及び第２コネクタ組立体の一部を切り欠いて示す断面図である。
【図２】（ａ）は第１コネクタ組立体を示す正面図、（ｂ）はその背面図、（ｃ）は第２コネクタ組立体を示す正面図である。
【図３】（ａ）は第１コネクタ組立体を分解して示す側面図、（ｂ）は第２コネクタ組立体を分解して示す側面図である。
【図４】（ａ）はハウジング本体の正面図、（ｂ）はＯリングの正面図、（ｃ）は中空ブロック体の斜視図である。
【図５】（ａ）は第１コネクタ組立体と第２コネクタ組立体との接続後の状態を示す側面図、（ｂ）は（ａ）において第１コネクタ組立体及び第２コネクタ組立体の一部を切り欠いて示す断面図である。
【図６】第１コネクタ組立体及び第２コネクタ組立体の使用状態の一例を示す図である。
【図７】変形例における第１コネクタ組立体の側面図である。
【図８】従来の防水型端子ボックスにおいて蓋体の一部を切り欠いて示す平面図である。
【符号の説明】
【００４６】
１、１’  第１コネクタ組立体（防水コネクタ組立体）
２    コネクタ
２ａ  嵌合部
３    ハウジング本体（コネクタハウジング）
４    防水コネクタハウジング
５    中空ブロック体（コネクタハウジング）
５ａ  開口部
５ｂ  開口部前端面
６    Ｏリング（シール材）
１１    第２コネクタ組立体
１２    コネクタ（相手方のコネクタ）
１２ａ  嵌合部
１３    防水コネクタハウジング（相手方のコネクタハウジング）
１３ｂ  前端面
１６    Ｏリング（相手方のシール材）
【図１】
2007227040.tif 000003
【図２】
2007227040.tif 000004
【図３】
2007227040.tif 000005
【図４】
2007227040.tif 000006
【図５】
2007227040.tif 000007
【図６】
2007227040.tif 000008
【図７】
2007227040.tif 000009
【図８】
2007227040.tif 000010